(57)【要約】【課題】建物内の各階に対応した見取り図を位置標識の画像データを基に提供。【解決手段】携帯端末２０が撮影した位置標識番号の画像データを地図提供サーバ３０が受信し、希望地図情報が現在居る階の見取り図であった場合に、位置標識番号に対応して登録された建物，階の見取り図と位置標識の方位とを取得し、見取り図に位置標識の方位を追加した地図情報を携帯端末２０に送信し、希望地図情報が現在居る階及び指定階の見取り図であった場合に、位置標識番号に対応して登録された建物名と指定階に対応する位置標識番号を取得し、取得した位置標識番号及び画像データ対応の位置標識番号に対応して登録された建物，階の見取り図を取得し、画像データ対応の位置標識番号に対応して登録された位置標識の設置方位を取得し該当見取り図に位置標識の方位を追加し、現在居る階及び指定階の見取り図を地図情報として携帯端末２０に送信する。【選択図】      図１
2004347945.tif 000002
【特許請求の範囲】
【請求項１】
それぞれ異なる位置標識番号が表示され建物内の各階に設置された位置標識と、ユーザが携帯する携帯端末と、地図提供サーバと、前記携帯端末と前記地図提供サーバを接続するネットワークとを備えた携帯端末の位置表示システムであって、
前記携帯端末は、内蔵するカメラにより前記位置標識番号を撮影する手段と、撮影された位置標識番号の画像データを前記地図提供サーバに送信する手段と、前記地図提供サーバから送信された地図情報を受信，表示する手段とを有し、
前記地図提供サーバは、受信した画像データから位置標識番号を取得する手段と、前記位置標識番号に対応して登録された建物，階の見取り図を取得する手段と、前記位置標識番号に対応して登録された位置標識の設置方位を取得する手段と、前記見取り図の位置標識の場所に前記設置方位表示を追加した地図情報を生成して前記携帯端末に送信する手段とを有することを特徴とする携帯端末の位置表示システム。
【請求項２】
それぞれ異なる位置標識番号が表示され建物内の各階に設置された位置標識と、ユーザが携帯する携帯端末と、地図提供サーバと、前記携帯端末と前記地図提供サーバを接続するネットワークとを備えた携帯端末の位置表示システムであって、
前記携帯端末は、内蔵するカメラにより前記位置標識番号を撮影する手段と、撮影された位置標識番号の画像データとユーザにより入力された希望地図情報とを前記地図提供サーバに送信する手段と、前記地図提供サーバから送信された地図情報を受信，表示する手段とを有し、
前記地図提供サーバは、受信した画像データから位置標識番号を取得する手段と、受信した希望地図情報が現在居る階の見取り図であった場合に、前記位置標識番号に対応して登録された建物，階の見取り図を取得する手段と、前記位置標識番号に対応して登録された位置標識の設置方位を取得する手段と、前記見取り図の位置標識の場所に前記設置方位表示を追加した地図情報を生成して前記携帯端末に送信する手段と、受信した希望地図情報が現在居る階および指定階の見取り図であった場合に、前記位置標識番号に対応して登録された建物名を検索するとともに、その建物の指定階に対応する位置標識番号を取得する手段と、取得した位置標識番号および画像データにより受信した位置標識番号に対応して登録された建物，階の見取り図を取得する手段と、画像データにより受信した位置標識番号に対応して登録された位置標識の設置方位を取得し該当する見取り図の位置標識の場所に方位表示を追加する手段と、前記現在居る階および指定階の見取り図を地図情報として前記携帯端末に送信する手段とを有することを特徴とする携帯端末の位置表示システム。
【請求項３】
それぞれ異なる位置標識番号が表示され建物内の各階に設置された位置標識と、ユーザが携帯する携帯端末と、地図提供サーバと、前記携帯端末と前記地図提供サーバを接続するネットワークとを備えた携帯端末の位置表示システムであって、
前記携帯端末は、内蔵するカメラにより前記位置標識番号を撮影する手段と、撮影された位置標識番号の画像データとユーザにより入力された希望地図情報とを前記地図提供サーバに送信する手段と、前記地図提供サーバから送信された地図情報を受信，表示する手段とを有し、
前記地図提供サーバは、受信した画像データから位置標識番号を取得する手段と、受信した希望地図情報が現在居る階の見取り図であった場合に、前記位置標識番号に対応して登録された建物，階の見取り図を取得する手段と、前記位置標識番号に対応して登録された位置標識の設置方位を取得する手段と、前記見取り図の位置標識の場所に前記設置方位表示を追加した地図情報を生成して前記携帯端末に送信する手段と、受信した希望地図情報が現在居る階および指定階の見取り図であった場合に、前記位置標識番号に対応して登録された建物名を検索するとともに、その建物の指定階に対応する位置標識番号を取得する手段と、取得した位置標識番号および画像データにより受信した位置標識番号に対応して登録された建物，階の見取り図を取得する手段と、画像データにより受信した位置標識番号に対応して登録された位置標識の設置方位を取得し該当する見取り図の位置標識の場所に方位表示を追加する手段と、前記現在居る階および指定階の見取り図を地図情報として前記携帯端末に送信する手段と、受信した希望地図情報が地域地図であった場合に、画像データにより受信した位置標識番号に対応して登録された位置標識の緯度，経度と設置方位とを取得する手段と、取得した緯度，経度の周辺地域地図を取得する手段と、前記周辺地域地図の位置標識の場所に前記設置方位表示を追加した地図情報を生成して前記携帯端末に送信する手段とを有することを特徴とする携帯端末の位置表示システム。
【請求項４】
前記携帯端末は、撮影した位置標識番号の画像データを前記地図提供サーバに送信するときに、撮影した位置標識番号の画像データを位置標識番号に変換して表示し、ユーザによる確認入力があったときに前記画像データを前記地図提供サーバに送信するようにしたことを特徴とする請求項１，２または３記載の携帯端末の位置表示システム。
【請求項５】
前記位置標識番号は数字またはバーコードにより表示されることを特徴とする請求項１，２，３または４記載の携帯端末の位置表示システム。
【請求項６】
それぞれ異なる位置標識番号が表示され建物内の各階に設置された位置標識と、ユーザが携帯する携帯端末と、地図提供サーバと、前記携帯端末と前記地図提供サーバを接続するネットワークとを備えたシステムにおける地図提供サーバであって、
前記携帯端末で撮影された位置標識番号の画像データを受信し位置標識番号を取得する手段と、前記位置標識番号に対応して登録された建物，階の見取り図を取得する手段と、前記位置標識番号に対応して登録された位置標識の設置方位を取得する手段と、前記見取り図の位置標識の場所に前記設置方位表示を追加した地図情報を生成して前記携帯端末に送信する手段とを有することを特徴とする地図提供サーバ。
【請求項７】
それぞれ異なる位置標識番号が表示され建物内の各階に設置された位置標識と、ユーザが携帯する携帯端末と、地図提供サーバと、前記携帯端末と前記地図提供サーバを接続するネットワークとを備えたシステムにおける地図提供サーバであって、
前記携帯端末で撮影された位置標識番号の画像データを受信し位置標識番号を取得する手段と、前記携帯端末から画像データとともに受信した希望地図情報が現在居る階の見取り図であった場合に、前記位置標識番号に対応して登録された建物，階の見取り図を取得する手段と、前記位置標識番号に対応して登録された位置標識の設置方位を取得する手段と、前記見取り図の位置標識の場所に前記設置方位表示を追加した地図情報を生成して前記携帯端末に送信する手段と、受信した希望地図情報が現在居る階および指定階の見取り図であった場合に、前記位置標識番号に対応して登録された建物名を検索するとともに、その建物の指定階に対応する位置標識番号を取得する手段と、取得した位置標識番号および画像データにより受信した位置標識番号に対応して登録された建物，階の見取り図を取得する手段と、画像データにより受信した位置標識番号に対応して登録された位置標識の設置方位を取得し該当する見取り図の位置標識の場所に方位表示を追加する手段と、前記現在居る階および指定階の見取り図を地図情報として前記携帯端末に送信する手段とを有することを特徴とする地図提供サーバ。
【請求項８】
それぞれ異なる位置標識番号が表示され建物内の各階に設置された位置標識と、ユーザが携帯する携帯端末と、地図提供サーバと、前記携帯端末と前記地図提供サーバを接続するネットワークとを備えたシステムにおける地図提供サーバであって、
前記携帯端末で撮影された位置標識番号の画像データを受信し位置標識番号を取得する手段と、前記携帯端末から画像データとともに受信した希望地図情報が現在居る階の見取り図であった場合に、前記位置標識番号に対応して登録された建物，階の見取り図を取得する手段と、前記位置標識番号に対応して登録された位置標識の設置方位を取得する手段と、前記見取り図の位置標識の場所に前記設置方位表示を追加した地図情報を生成して前記携帯端末に送信する手段と、受信した希望地図情報が現在居る階および指定階の見取り図であった場合に、前記位置標識番号に対応して登録された建物名を検索するとともに、その建物の指定階に対応する位置標識番号を取得する手段と、取得した位置標識番号および画像データにより受信した位置標識番号に対応して登録された建物，階の見取り図を取得する手段と、画像データにより受信した位置標識番号に対応して登録された位置標識の設置方位を取得し該当する見取り図の位置標識の場所に方位表示を追加する手段と、前記現在居る階および指定階の見取り図を地図情報として前記携帯端末に送信する手段と、受信した希望地図情報が地域地図であった場合に、画像データにより受信した位置標識番号に対応して登録された位置標識の緯度，経度と設置方位とを取得する手段と、取得した緯度，経度の周辺地域地図を取得する手段と、前記周辺地域地図の位置標識の場所に前記設置方位表示を追加した地図情報を生成して前記携帯端末に送信する手段とを有することを特徴とする地図提供サーバ。
【請求項９】
それぞれ異なる位置標識番号が表示され建物内の各階に設置された位置標識と、ユーザが携帯する携帯端末と、地図提供サーバと、前記携帯端末と前記地図提供サーバを接続するネットワークとを備えたシステムにおける携帯端末の位置表示方法であって、
前記携帯端末が前記位置標識番号を撮影し、撮影された位置標識番号の画像データを前記地図提供サーバに送信するステップと、前記地図提供サーバが、受信した画像データから位置標識番号を取得するステップと、前記位置標識番号に対応して登録された建物，階の見取り図を取得するステップと、前記位置標識番号に対応して登録された位置標識の設置方位を取得するステップと、前記見取り図の位置標識の場所に前記設置方位表示を追加した地図情報を生成して前記携帯端末に送信するステップと、前記携帯端末が地図情報を受信，表示するステップとを有することを特徴とする携帯端末の位置表示方法。
【請求項１０】
それぞれ異なる位置標識番号が表示され建物内の各階に設置された位置標識と、ユーザが携帯する携帯端末と、地図提供サーバと、前記携帯端末と前記地図提供サーバを接続するネットワークとを備えたシステムにおける携帯端末の位置表示方法であって、
前記携帯端末が前記位置標識番号を撮影し、撮影された位置標識番号の画像データとユーザにより入力された希望地図情報とを前記地図提供サーバに送信するステップと、前記地図提供サーバが、受信した画像データから位置標識番号を取得するステップと、受信した希望地図情報が現在居る階の見取り図であった場合に、前記位置標識番号に対応して登録された建物，階の見取り図を取得するステップと、前記位置標識番号に対応して登録された位置標識の設置方位を取得するステップと、前記見取り図の位置標識の場所に前記設置方位表示を追加した地図情報を生成して前記携帯端末に送信するステップと、受信した希望地図情報が現在居る階および指定階の見取り図であった場合に、前記位置標識番号に対応して登録された建物名を検索するとともに、その建物の指定階に対応する位置標識番号を取得するステップと、取得した位置標識番号および画像データにより受信した位置標識番号に対応して登録された建物，階の見取り図を取得するステップと、画像データにより受信した位置標識番号に対応して登録された位置標識の設置方位を取得し該当する見取り図の位置標識の場所に方位表示を追加するステップと、前記現在居る階および指定階の見取り図を地図情報として前記携帯端末に送信するステップと、前記携帯端末が地図情報を受信，表示するステップとを有することを特徴とする携帯端末の位置表示方法。
【請求項１１】
それぞれ異なる位置標識番号が表示され建物内の各階に設置された位置標識と、ユーザが携帯する携帯端末と、地図提供サーバと、前記携帯端末と前記地図提供サーバを接続するネットワークとを備えたシステムにおける携帯端末の位置表示方法であって、
前記携帯端末が前記位置標識番号を撮影し、撮影された位置標識番号の画像データとユーザにより入力された希望地図情報とを前記地図提供サーバに送信するステップと、前記地図提供サーバが、受信した画像データから位置標識番号を取得するステップと、受信した希望地図情報が現在居る階の見取り図であった場合に、前記位置標識番号に対応して登録された建物，階の見取り図を取得するステップと、前記位置標識番号に対応して登録された位置標識の設置方位を取得するステップと、前記見取り図の位置標識の場所に前記設置方位表示を追加した地図情報を生成して前記携帯端末に送信するステップと、受信した希望地図情報が現在居る階および指定階の見取り図であった場合に、前記位置標識番号に対応して登録された建物名を検索するとともに、その建物の指定階に対応する位置標識番号を取得するステップと、取得した位置標識番号および画像データにより受信した位置標識番号に対応して登録された建物，階の見取り図を取得するステップと、画像データにより受信した位置標識番号に対応して登録された位置標識の設置方位を取得し該当する見取り図の位置標識の場所に方位表示を追加するステップと、前記現在居る階および指定階の見取り図を地図情報として前記携帯端末に送信するステップと、受信した希望地図情報が地域地図であった場合に、画像データにより受信した位置標識番号に対応して登録された位置標識の緯度，経度と設置方位とを取得するステップと、取得した緯度，経度の周辺地域地図を取得するステップと、前記周辺地域地図の位置標識の場所に前記設置方位表示を追加した地図情報を生成して前記携帯端末に送信するステップと、前記携帯端末が地図情報を受信，表示するステップとを有することを特徴とする携帯端末の位置表示方法。
【請求項１２】
前記携帯端末が撮影した位置標識番号の画像データを前記地図提供サーバに送信するときに、撮影した位置標識番号の画像データを位置標識番号に変換して表示し、ユーザによる確認入力があったときに前記画像データを前記地図提供サーバに送信するようにしたことを特徴とする請求項９，１０または１１記載の携帯端末の位置表示方法。
【請求項１３】
それぞれ異なる位置標識番号が表示され建物内の各階に設置された位置標識と、ユーザが携帯する携帯端末と、地図提供サーバと、前記携帯端末と前記地図提供サーバを接続するネットワークとを備えたシステムにおける地図提供サーバに適用されるプログラムであって、
前記携帯端末で撮影された位置標識番号の画像データを受信し位置標識番号を取得する機能、前記位置標識番号に対応して登録された建物，階の見取り図を取得する機能、前記位置標識番号に対応して登録された位置標識の設置方位を取得する機能、前記見取り図の位置標識の場所に前記設置方位表示を追加した地図情報を生成して前記携帯端末に送信する機能、をコンピュータに実現させるためのプログラム。
【請求項１４】
それぞれ異なる位置標識番号が表示され建物内の各階に設置された位置標識と、ユーザが携帯する携帯端末と、地図提供サーバと、前記携帯端末と前記地図提供サーバを接続するネットワークとを備えたシステムにおける地図提供サーバに適用されるプログラムであって、
前記携帯端末で撮影された位置標識番号の画像データを受信し位置標識番号を取得する機能、前記携帯端末から画像データとともに受信した希望地図情報が現在居る階の見取り図であった場合に、前記位置標識番号に対応して登録された建物，階の見取り図を取得する機能、前記位置標識番号に対応して登録された位置標識の設置方位を取得する機能、前記見取り図の位置標識の場所に前記設置方位表示を追加した地図情報を生成して前記携帯端末に送信する機能、受信した希望地図情報が現在居る階および指定階の見取り図であった場合に、前記位置標識番号に対応して登録された建物名を検索するとともに、その建物の指定階に対応する位置標識番号を取得する機能、取得した位置標識番号および画像データにより受信した位置標識番号に対応して登録された建物，階の見取り図を取得する機能、画像データにより受信した位置標識番号に対応して登録された位置標識の設置方位を取得し該当する見取り図の位置標識の場所に方位表示を追加する機能、前記現在居る階および指定階の見取り図を地図情報として前記携帯端末に送信する機能、をコンピュータに実現させるためのプログラム。
【請求項１５】
それぞれ異なる位置標識番号が表示され建物内の各階に設置された位置標識と、ユーザが携帯する携帯端末と、地図提供サーバと、前記携帯端末と前記地図提供サーバを接続するネットワークとを備えたシステムにおける地図提供サーバに適用されるプログラムであって、
前記携帯端末で撮影された位置標識番号の画像データを受信し位置標識番号を取得する機能、前記携帯端末から画像データとともに受信した希望地図情報が現在居る階の見取り図であった場合に、前記位置標識番号に対応して登録された建物，階の見取り図を取得する機能、前記位置標識番号に対応して登録された位置標識の設置方位を取得する機能、前記見取り図の位置標識の場所に前記設置方位表示を追加した地図情報を生成して前記携帯端末に送信する機能、受信した希望地図情報が現在居る階および指定階の見取り図であった場合に、前記位置標識番号に対応して登録された建物名を検索するとともに、その建物の指定階に対応する位置標識番号を取得する機能、取得した位置標識番号および画像データにより受信した位置標識番号に対応して登録された建物，階の見取り図を取得する機能、画像データにより受信した位置標識番号に対応して登録された位置標識の設置方位を取得し該当する見取り図の位置標識の場所に方位表示を追加する機能、前記現在居る階および指定階の見取り図を地図情報として前記携帯端末に送信する機能、受信した希望地図情報が地域地図であった場合に、画像データにより受信した位置標識番号に対応して登録された位置標識の緯度，経度と設置方位とを取得する機能、取得した緯度，経度の周辺地域地図を取得する機能、前記周辺地域地図の位置標識の場所に前記設置方位表示を追加した地図情報を生成して前記携帯端末に送信する機能、をコンピュータに実現させるためのプログラム。
【発明の詳細な説明】
【０００１】
【発明の属する技術分野】
本発明は、携帯端末の位置表示システム，方法，地図提供サーバおよびプログラムに関し、特に携帯電話機等の携帯端末と位置標識とを用いた携帯端末の位置表示システム，方法，地図提供サーバおよびプログラムに関する。
【０００２】
【従来の技術】
携帯電話機等の携帯端末の普及は著しく伸びており、とりわけインターネットへの接続が可能となってからは、液晶表示部が大型化され地図等の詳細情報も表示可能となっている。それに伴い、携帯端末の位置を検出してその場所の地図を携帯端末に送信，表示するサービスが行われている。そして、携帯端末の位置を特定する技術についても、ＧＰＳからの電波を受けて位置を検出する方式や、ＰＨＳ等のように基地局が密に設置されたシステムにおける基地局から位置を検出する方式、また、二つ以上の基地局で同じ電波を同時に受け三角測量的に位置を検出する方式等が研究，実用化されてきた。
【０００３】
しかし、これら従来の技術においては、位置は特定できるが、その範囲が比較的広く、明確な目標物が無いと迷ってしまう可能性があった。
【０００４】
そこで、携帯端末の位置の特定精度を向上させるために、位置標識に着目した例として、例えば、特開２００２−２９７６１３号公報（特許文献１）に記載された位置情報通知システムがある。
【０００５】
この公報においては、街頭に設置された電柱の特定番号をユーザが読み取って携帯端末に入力し、入力された電柱の特定番号をネットワークを介してコンテンツ提供会社に送信すると、コンテンツ提供会社の検索サーバが電柱の特定番号をキーワードにしてデータベースから電柱の設置場所の地図を取得することが開示されている。
【０００６】
【特許文献１】
特開２００２−２９７６１３号公報（段落［００３１］、図１、図４）
【０００７】
【発明が解決しようとする課題】
しかし、上述した特許文献１においては、道路等に設置された電柱の特定番号を基に位置の検出を行っているため、その位置における地図が水平方向の一種類である分にはよいが、複数階以上の建物内部に居る場合のように、緯度，経度は同じでも高さ（階）が違うと地図（フロアの見取り図）が異なるような場合の垂直方向を加味した地図表示には適用できないという問題がある。
【０００８】
また、上述した特許文献１においては、電柱の特定番号をユーザが携帯端末に入力しているため、入力ミスにより誤った地図の表示につながる可能性もある。
【０００９】
本発明は、以上の問題を解決する携帯端末の位置表示システム，方法，地図提供サーバおよびプログラムを提供することを目的とする。
【００１０】
【課題を解決するための手段】
本発明の第１の携帯端末の位置表示システムは、それぞれ異なる位置標識番号が表示され建物内の各階に設置された位置標識と、ユーザが携帯する携帯端末と、地図提供サーバと、前記携帯端末と前記地図提供サーバを接続するネットワークとを備えた携帯端末の位置表示システムであって、
前記携帯端末は、内蔵するカメラにより前記位置標識番号を撮影する手段と、撮影された位置標識番号の画像データを前記地図提供サーバに送信する手段と、前記地図提供サーバから送信された地図情報を受信，表示する手段とを有し、
前記地図提供サーバは、受信した画像データから位置標識番号を取得する手段と、前記位置標識番号に対応して登録された建物，階の見取り図を取得する手段と、前記位置標識番号に対応して登録された位置標識の設置方位を取得する手段と、前記見取り図の位置標識の場所に前記設置方位表示を追加した地図情報を生成して前記携帯端末に送信する手段とを有する。
【００１１】
本発明の第２の携帯端末の位置表示システムは、それぞれ異なる位置標識番号が表示され建物内の各階に設置された位置標識と、ユーザが携帯する携帯端末と、地図提供サーバと、前記携帯端末と前記地図提供サーバを接続するネットワークとを備えた携帯端末の位置表示システムであって、
前記携帯端末は、内蔵するカメラにより前記位置標識番号を撮影する手段と、撮影された位置標識番号の画像データとユーザにより入力された希望地図情報とを前記地図提供サーバに送信する手段と、前記地図提供サーバから送信された地図情報を受信，表示する手段とを有し、
前記地図提供サーバは、受信した画像データから位置標識番号を取得する手段と、受信した希望地図情報が現在居る階の見取り図であった場合に、前記位置標識番号に対応して登録された建物，階の見取り図を取得する手段と、前記位置標識番号に対応して登録された位置標識の設置方位を取得する手段と、前記見取り図の位置標識の場所に前記設置方位表示を追加した地図情報を生成して前記携帯端末に送信する手段と、受信した希望地図情報が現在居る階および指定階の見取り図であった場合に、前記位置標識番号に対応して登録された建物名を検索するとともに、その建物の指定階に対応する位置標識番号を取得する手段と、取得した位置標識番号および画像データにより受信した位置標識番号に対応して登録された建物，階の見取り図を取得する手段と、画像データにより受信した位置標識番号に対応して登録された位置標識の設置方位を取得し該当する見取り図の位置標識の場所に方位表示を追加する手段と、前記現在居る階および指定階の見取り図を地図情報として前記携帯端末に送信する手段とを有する。
【００１２】
本発明の第３の携帯端末の位置表示システムは、それぞれ異なる位置標識番号が表示され建物内の各階に設置された位置標識と、ユーザが携帯する携帯端末と、地図提供サーバと、前記携帯端末と前記地図提供サーバを接続するネットワークとを備えた携帯端末の位置表示システムであって、
前記携帯端末は、内蔵するカメラにより前記位置標識番号を撮影する手段と、撮影された位置標識番号の画像データとユーザにより入力された希望地図情報とを前記地図提供サーバに送信する手段と、前記地図提供サーバから送信された地図情報を受信，表示する手段とを有し、
前記地図提供サーバは、受信した画像データから位置標識番号を取得する手段と、受信した希望地図情報が現在居る階の見取り図であった場合に、前記位置標識番号に対応して登録された建物，階の見取り図を取得する手段と、前記位置標識番号に対応して登録された位置標識の設置方位を取得する手段と、前記見取り図の位置標識の場所に前記設置方位表示を追加した地図情報を生成して前記携帯端末に送信する手段と、受信した希望地図情報が現在居る階および指定階の見取り図であった場合に、前記位置標識番号に対応して登録された建物名を検索するとともに、その建物の指定階に対応する位置標識番号を取得する手段と、取得した位置標識番号および画像データにより受信した位置標識番号に対応して登録された建物，階の見取り図を取得する手段と、画像データにより受信した位置標識番号に対応して登録された位置標識の設置方位を取得し該当する見取り図の位置標識の場所に方位表示を追加する手段と、前記現在居る階および指定階の見取り図を地図情報として前記携帯端末に送信する手段と、受信した希望地図情報が地域地図であった場合に、画像データにより受信した位置標識番号に対応して登録された位置標識の緯度，経度と設置方位とを取得する手段と、取得した緯度，経度の周辺地域地図を取得する手段と、前記周辺地域地図の位置標識の場所に前記設置方位表示を追加した地図情報を生成して前記携帯端末に送信する手段とを有する。
【００１３】
本発明の第４の携帯端末の位置表示システムは、本発明の第１，第２または第３の携帯端末の位置表示システムにおいて、前記携帯端末は、撮影した位置標識番号の画像データを前記地図提供サーバに送信するときに、撮影した位置標識番号の画像データを位置標識番号に変換して表示し、ユーザによる確認入力があったときに前記画像データを前記地図提供サーバに送信するようにしたことを特徴とする。
【００１４】
本発明の第５の携帯端末の位置表示システムは、本発明の第１，第２，第３または第４の携帯端末の位置表示システムにおいて、前記位置標識番号は数字またはバーコードにより表示されることを特徴とする。
【００１５】
本発明の第１の地図提供サーバは、それぞれ異なる位置標識番号が表示され建物内の各階に設置された位置標識と、ユーザが携帯する携帯端末と、地図提供サーバと、前記携帯端末と前記地図提供サーバを接続するネットワークとを備えたシステムにおける地図提供サーバであって、
前記携帯端末で撮影された位置標識番号の画像データを受信し位置標識番号を取得する手段と、前記位置標識番号に対応して登録された建物，階の見取り図を取得する手段と、前記位置標識番号に対応して登録された位置標識の設置方位を取得する手段と、前記見取り図の位置標識の場所に前記設置方位表示を追加した地図情報を生成して前記携帯端末に送信する手段とを有する。
【００１６】
本発明の第２の地図提供サーバは、それぞれ異なる位置標識番号が表示され建物内の各階に設置された位置標識と、ユーザが携帯する携帯端末と、地図提供サーバと、前記携帯端末と前記地図提供サーバを接続するネットワークとを備えたシステムにおける地図提供サーバであって、
前記携帯端末で撮影された位置標識番号の画像データを受信し位置標識番号を取得する手段と、前記携帯端末から画像データとともに受信した希望地図情報が現在居る階の見取り図であった場合に、前記位置標識番号に対応して登録された建物，階の見取り図を取得する手段と、前記位置標識番号に対応して登録された位置標識の設置方位を取得する手段と、前記見取り図の位置標識の場所に前記設置方位表示を追加した地図情報を生成して前記携帯端末に送信する手段と、受信した希望地図情報が現在居る階および指定階の見取り図であった場合に、前記位置標識番号に対応して登録された建物名を検索するとともに、その建物の指定階に対応する位置標識番号を取得する手段と、取得した位置標識番号および画像データにより受信した位置標識番号に対応して登録された建物，階の見取り図を取得する手段と、画像データにより受信した位置標識番号に対応して登録された位置標識の設置方位を取得し該当する見取り図の位置標識の場所に方位表示を追加する手段と、前記現在居る階および指定階の見取り図を地図情報として前記携帯端末に送信する手段とを有する。
【００１７】
本発明の第３の地図提供サーバは、それぞれ異なる位置標識番号が表示され建物内の各階に設置された位置標識と、ユーザが携帯する携帯端末と、地図提供サーバと、前記携帯端末と前記地図提供サーバを接続するネットワークとを備えたシステムにおける地図提供サーバであって、
前記携帯端末で撮影された位置標識番号の画像データを受信し位置標識番号を取得する手段と、前記携帯端末から画像データとともに受信した希望地図情報が現在居る階の見取り図であった場合に、前記位置標識番号に対応して登録された建物，階の見取り図を取得する手段と、前記位置標識番号に対応して登録された位置標識の設置方位を取得する手段と、前記見取り図の位置標識の場所に前記設置方位表示を追加した地図情報を生成して前記携帯端末に送信する手段と、受信した希望地図情報が現在居る階および指定階の見取り図であった場合に、前記位置標識番号に対応して登録された建物名を検索するとともに、その建物の指定階に対応する位置標識番号を取得する手段と、取得した位置標識番号および画像データにより受信した位置標識番号に対応して登録された建物，階の見取り図を取得する手段と、画像データにより受信した位置標識番号に対応して登録された位置標識の設置方位を取得し該当する見取り図の位置標識の場所に方位表示を追加する手段と、前記現在居る階および指定階の見取り図を地図情報として前記携帯端末に送信する手段と、受信した希望地図情報が地域地図であった場合に、画像データにより受信した位置標識番号に対応して登録された位置標識の緯度，経度と設置方位とを取得する手段と、取得した緯度，経度の周辺地域地図を取得する手段と、前記周辺地域地図の位置標識の場所に前記設置方位表示を追加した地図情報を生成して前記携帯端末に送信する手段とを有する。
【００１８】
本発明の第１の携帯端末の位置表示方法は、それぞれ異なる位置標識番号が表示され建物内の各階に設置された位置標識と、ユーザが携帯する携帯端末と、地図提供サーバと、前記携帯端末と前記地図提供サーバを接続するネットワークとを備えたシステムにおける携帯端末の位置表示方法であって、
前記携帯端末が前記位置標識番号を撮影し、撮影された位置標識番号の画像データを前記地図提供サーバに送信するステップと、前記地図提供サーバが、受信した画像データから位置標識番号を取得するステップと、前記位置標識番号に対応して登録された建物，階の見取り図を取得するステップと、前記位置標識番号に対応して登録された位置標識の設置方位を取得するステップと、前記見取り図の位置標識の場所に前記設置方位表示を追加した地図情報を生成して前記携帯端末に送信するステップと、前記携帯端末が地図情報を受信，表示するステップとを有する。
【００１９】
本発明の第２の携帯端末の位置表示方法は、それぞれ異なる位置標識番号が表示され建物内の各階に設置された位置標識と、ユーザが携帯する携帯端末と、地図提供サーバと、前記携帯端末と前記地図提供サーバを接続するネットワークとを備えたシステムにおける携帯端末の位置表示方法であって、
前記携帯端末が前記位置標識番号を撮影し、撮影された位置標識番号の画像データとユーザにより入力された希望地図情報とを前記地図提供サーバに送信するステップと、前記地図提供サーバが、受信した画像データから位置標識番号を取得するステップと、受信した希望地図情報が現在居る階の見取り図であった場合に、前記位置標識番号に対応して登録された建物，階の見取り図を取得するステップと、前記位置標識番号に対応して登録された位置標識の設置方位を取得するステップと、前記見取り図の位置標識の場所に前記設置方位表示を追加した地図情報を生成して前記携帯端末に送信するステップと、受信した希望地図情報が現在居る階および指定階の見取り図であった場合に、前記位置標識番号に対応して登録された建物名を検索するとともに、その建物の指定階に対応する位置標識番号を取得するステップと、取得した位置標識番号および画像データにより受信した位置標識番号に対応して登録された建物，階の見取り図を取得するステップと、画像データにより受信した位置標識番号に対応して登録された位置標識の設置方位を取得し該当する見取り図の位置標識の場所に方位表示を追加するステップと、前記現在居る階および指定階の見取り図を地図情報として前記携帯端末に送信するステップと、前記携帯端末が地図情報を受信，表示するステップとを有する。
【００２０】
本発明の第３の携帯端末の位置表示方法は、それぞれ異なる位置標識番号が表示され建物内の各階に設置された位置標識と、ユーザが携帯する携帯端末と、地図提供サーバと、前記携帯端末と前記地図提供サーバを接続するネットワークとを備えたシステムにおける携帯端末の位置表示方法であって、
前記携帯端末が前記位置標識番号を撮影し、撮影された位置標識番号の画像データとユーザにより入力された希望地図情報とを前記地図提供サーバに送信するステップと、前記地図提供サーバが、受信した画像データから位置標識番号を取得するステップと、受信した希望地図情報が現在居る階の見取り図であった場合に、前記位置標識番号に対応して登録された建物，階の見取り図を取得するステップと、前記位置標識番号に対応して登録された位置標識の設置方位を取得するステップと、前記見取り図の位置標識の場所に前記設置方位表示を追加した地図情報を生成して前記携帯端末に送信するステップと、受信した希望地図情報が現在居る階および指定階の見取り図であった場合に、前記位置標識番号に対応して登録された建物名を検索するとともに、その建物の指定階に対応する位置標識番号を取得するステップと、取得した位置標識番号および画像データにより受信した位置標識番号に対応して登録された建物，階の見取り図を取得するステップと、画像データにより受信した位置標識番号に対応して登録された位置標識の設置方位を取得し該当する見取り図の位置標識の場所に方位表示を追加するステップと、前記現在居る階および指定階の見取り図を地図情報として前記携帯端末に送信するステップと、受信した希望地図情報が地域地図であった場合に、画像データにより受信した位置標識番号に対応して登録された位置標識の緯度，経度と設置方位とを取得するステップと、取得した緯度，経度の周辺地域地図を取得するステップと、前記周辺地域地図の位置標識の場所に前記設置方位表示を追加した地図情報を生成して前記携帯端末に送信するステップと、前記携帯端末が地図情報を受信，表示するステップとを有する。
【００２１】
本発明の第４の携帯端末の位置表示方法は、本発明の第１，第２または第３の携帯端末の位置表示方法において、前記携帯端末が撮影した位置標識番号の画像データを前記地図提供サーバに送信するときに、撮影した位置標識番号の画像データを位置標識番号に変換して表示し、ユーザによる確認入力があったときに前記画像データを前記地図提供サーバに送信するようにしたことを特徴とする。
【００２２】
本発明の第１のプログラムは、それぞれ異なる位置標識番号が表示され建物内の各階に設置された位置標識と、ユーザが携帯する携帯端末と、地図提供サーバと、前記携帯端末と前記地図提供サーバを接続するネットワークとを備えたシステムにおける地図提供サーバに適用されるプログラムであって、
前記携帯端末で撮影された位置標識番号の画像データを受信し位置標識番号を取得する機能、前記位置標識番号に対応して登録された建物，階の見取り図を取得する機能、前記位置標識番号に対応して登録された位置標識の設置方位を取得する機能、前記見取り図の位置標識の場所に前記設置方位表示を追加した地図情報を生成して前記携帯端末に送信する機能、をコンピュータに実現させる。
【００２３】
本発明の第２のプログラムは、それぞれ異なる位置標識番号が表示され建物内の各階に設置された位置標識と、ユーザが携帯する携帯端末と、地図提供サーバと、前記携帯端末と前記地図提供サーバを接続するネットワークとを備えたシステムにおける地図提供サーバに適用されるプログラムであって、
前記携帯端末で撮影された位置標識番号の画像データを受信し位置標識番号を取得する機能、前記携帯端末から画像データとともに受信した希望地図情報が現在居る階の見取り図であった場合に、前記位置標識番号に対応して登録された建物，階の見取り図を取得する機能、前記位置標識番号に対応して登録された位置標識の設置方位を取得する機能、前記見取り図の位置標識の場所に前記設置方位表示を追加した地図情報を生成して前記携帯端末に送信する機能、受信した希望地図情報が現在居る階および指定階の見取り図であった場合に、前記位置標識番号に対応して登録された建物名を検索するとともに、その建物の指定階に対応する位置標識番号を取得する機能、取得した位置標識番号および画像データにより受信した位置標識番号に対応して登録された建物，階の見取り図を取得する機能、画像データにより受信した位置標識番号に対応して登録された位置標識の設置方位を取得し該当する見取り図の位置標識の場所に方位表示を追加する機能、前記現在居る階および指定階の見取り図を地図情報として前記携帯端末に送信する機能、をコンピュータに実現させる。
【００２４】
本発明の第３のプログラムは、それぞれ異なる位置標識番号が表示され建物内の各階に設置された位置標識と、ユーザが携帯する携帯端末と、地図提供サーバと、前記携帯端末と前記地図提供サーバを接続するネットワークとを備えたシステムにおける地図提供サーバに適用されるプログラムであって、
前記携帯端末で撮影された位置標識番号の画像データを受信し位置標識番号を取得する機能、前記携帯端末から画像データとともに受信した希望地図情報が現在居る階の見取り図であった場合に、前記位置標識番号に対応して登録された建物，階の見取り図を取得する機能、前記位置標識番号に対応して登録された位置標識の設置方位を取得する機能、前記見取り図の位置標識の場所に前記設置方位表示を追加した地図情報を生成して前記携帯端末に送信する機能、受信した希望地図情報が現在居る階および指定階の見取り図であった場合に、前記位置標識番号に対応して登録された建物名を検索するとともに、その建物の指定階に対応する位置標識番号を取得する機能、取得した位置標識番号および画像データにより受信した位置標識番号に対応して登録された建物，階の見取り図を取得する機能、画像データにより受信した位置標識番号に対応して登録された位置標識の設置方位を取得し該当する見取り図の位置標識の場所に方位表示を追加する機能、前記現在居る階および指定階の見取り図を地図情報として前記携帯端末に送信する機能、受信した希望地図情報が地域地図であった場合に、画像データにより受信した位置標識番号に対応して登録された位置標識の緯度，経度と設置方位とを取得する機能、取得した緯度，経度の周辺地域地図を取得する機能、前記周辺地域地図の位置標識の場所に前記設置方位表示を追加した地図情報を生成して前記携帯端末に送信する機能、をコンピュータに実現させる。
【００２５】
【発明の実施の形態】
本発明の実施の形態について図面を参照して詳細に説明する。
【００２６】
図１は、本発明の一実施の形態の構成を示す図であり、位置標識１０と、携帯端末２０と、地図提供サーバ３０と、インターネット等のネットワーク１００とを備えている。
【００２７】
位置標識１０は、携帯端末２０が通信可能な建物内の壁等の平面に、表示面が水平方向を向くように設置または貼付される。これらの位置標識１０には、それぞれ異なる位置標識番号が数字やバーコード等で表示されている（以下の説明においては、位置標識番号は数字で表示されているとして説明する）。そして、位置標識番号が携帯端末２０のカメラ２２で正確に撮影されるようにするために、位置標識１０はユーザが正対した状態で撮影可能な場所（例えば、人間の目の高さより低い場所）に設置されるのが望ましい。なお、位置標識１０の設置数や設置間隔については任意でよく特に限定は無い。
【００２８】
携帯端末２０は、携帯電話機，ＰＨＳ（Ｐｅｒｓｏｎａｌ  Ｈａｎｄｙｐｈｏｎｅ  Ｓｙｓｔｅｍ），ＰＤＡ（Ｐｅｒｓｏｎａｌ  Ｄｉｇｉｔａｌ  Ａｓｓｉｓｔａｎｃｅ）等のユーザに使用される携帯情報端末である。この携帯端末２０は、制御部２１と、カメラ２２と、画像処理部２３と、入力部２４と、表示部２５と、記憶部２６とを備えている。制御部２１は、例えばＣＰＵ等であり、プログラムによりその動作を制御される。この制御部２１は、携帯端末２０の全体の動作を制御する制御部であり、ユーザから入力された位置表示要求情報をネットワーク１００を介して地図提供サーバ３０に送信し、地図提供サーバ３０から送信された地図情報を受信，表示する手段を備えている。カメラ２２は位置標識１０を撮影する撮像装置であり、画像処理部２３はカメラ２２により撮影された映像をエンコード等により画像データに変換したり、画像データをデコードする手段を備えてている。入力部２４は携帯端末２０上のテンキー等の入力用キーであり、表示部２５は文字や地図情報を表示する液晶等のディスプレイである。記憶部２６は、カメラ２２で撮影された映像の画像データや、地図提供サーバ３０から受信した地図情報等を記憶する。
【００２９】
地図提供サーバ３０は、地図提供業者により備えられたワークステーション・サーバ等の情報処理装置である。この地図提供サーバ３０は、制御部３１と、位置標識データベース３２と、地図情報データベース３３と、建物・階別見取り図データベース３４とを備えている。
【００３０】
制御部３１は、例えばＣＰＵ等であり、プログラムによりその動作を制御される。この制御部３１は、携帯端末２０から受信した位置標識番号情報と要求内容（地域地図か、現在居る階の見取り図か、現在居る階および指定階の見取り図か）とからなる位置表示要求情報を基に、それぞれに対応する地図情報を取得する手段と、地図上にユーザから見た位置標識１０の方向の矢印を加えて携帯端末２０に送信する手段とを備えている。
【００３１】
位置標識データベース３２には、図２（位置標識データベース３２に登録されているデータの一例を示す図）に示すように、位置標識番号毎に、建物名，階番号，設置方位，緯度／経度が地図提供業者により予め登録されている。位置標識番号は位置標識１０に表示された番号であり、位置標識毎に全て異なる番号となるよう地図提供業者により管理されている。図２においては、例えばＡＡ美術館のＢ１（地下１階），１階，２階にそれぞれ二つの位置標識１０が存在することを表しているが、各階の広さにより位置標識１０の数は増減可能である。また、設置方位とは、ユーザから見た位置標識１０の方向を意味しており、真北を０°としたときの方位を示している。例えば９０°は東であり、２７０°は西、１８０°は南、４５°は北東の方位であることを示している。この設置方位を登録しておくことにより、現在ユーザが正対している位置標識１０の方向、すなわち位置標識１０の正面（表示面）から背面への方向、を見取り図上の現在位置に表示できるため、ユーザにとっては方向を加味した分かり易い見取り図とすることができる。また、緯度，経度は、それぞれの位置標識１０が貼られている場所の緯度，経度であり、建物内の各階の見取り図を提供するためには必要ないが、ユーザから建物外の通常の地域地図とその地域地図における現在位置を要求されたときに必要となる情報である。
【００３２】
地図情報データベース３３には、緯度，経度と関連付けられた全国の地域地図の情報が格納されている。建物・階別見取り図データベース３４には、位置標識番号群毎に見取り図情報（フロアマップ，フロアレイアウト）が予め登録されている。この見取り図には、何階の見取り図かを示す情報と、位置標識１０の設置場所および位置標識番号も含まれている。なお、位置標識番号群とは、同じ建物の同じ階にある位置標識１０の番号の集合体である。見取り図は同じ階であれば位置標識１０の設置場所に関係なく同じであるため、位置標識番号群に対し一つの見取り図が対応している。
【００３３】
次に、本発明の一実施の形態の動作について図１〜図４を参照して説明する。
【００３４】
なお、図３は携帯端末２０における位置表示要求画面の一例を示す図であり、図４は本発明の一実施の形態の動作を示すフローチャートである。
【００３５】
一般的に、美術館や博物館、地下街等の大きな建物の中では、自分が今居る場所を適確に把握できない場合がよくある。また、知らない場所に来て、自分が今居るフロアの見取り図や同じ建物の他の階の見取り図等を見てみたいといったこともよく経験することである。
【００３６】
このようなときに、まずユーザは最寄りにある位置標識１０を探し、携帯端末２０のカメラ２２で位置標識１０の正面から位置標識番号の全体が入るように撮影する（ステップＡ１）。画像処理部２３は撮影された位置標識番号をエンコードして画像データに変換し一時的に保存する（ステップＡ２）、制御部２１は、この画像データを画像処理部２３にデコードさせて表示部２５に表示する（ステップＡ３）。ユーザは表示部２５に表示された番号が位置標識１０に表示された位置標識番号と一致するかを確認する（ステップＡ４）。一致していなかった場合は、ユーザは表示部２５の画面上のキャンセルボタンを押下し、再度撮影をし直す（ステップＡ５）。一致していた場合は、ユーザが表示部２５の画面上のＯＫボタンを押下することにより、制御部２１はステップＡ２で一時的に保存されていた位置標識番号の画像データを記憶部２６に記憶させる（ステップＡ６）。
【００３７】
次に、ユーザは位置表示メニューを選択し、図３に示すような画面上で希望する地図情報を入力部２４により選択する。すなわち、１．地域地図の表示、２．現在居る階の見取り図の表示、３．現在居る階および指定階の見取り図の表示、の中からいずれかを選択し、３を選択した場合は、さらに見取り図を希望する指定階を入力部２４により入力する。このとき、指定階の数に限定はない。なお、地域地図とは、建物内の各階の見取り図ではなく、自分が今居る建物を中心とした地域の地図のことである（ステップＡ７，Ａ８）。
【００３８】
次に、ユーザは図３の画面において送信ボタンを押下すると、制御部２１は記憶部２６に記憶させた位置標識番号の画像データと希望する地図情報とを位置表示要求情報として、予めアドレスが登録された地図提供サーバ３０に、図示しない携帯電話ネットワークからネットワーク１００を介してメール送信する（ステップＡ９）。
【００３９】
地図提供サーバ３０の制御部３１は携帯端末２０から位置表示要求情報を受信し（ステップＡ１０）、位置表示要求情報に含まれる画像データをデコードして位置標識番号に変換する（ステップＡ１１）。そして、制御部３１は、位置表示要求情報に含まれる希望する地図情報から、地域地図の要求か、現在居る階の見取り図の要求か、指定階の見取り図の要求か、を判断する。
【００４０】
希望する地図情報が地域地図の要求であった場合は（ステップＡ１２）、制御部３１は画像データから変換，取得した位置標識番号により位置標識データベース３２を検索し、位置標識設置場所の緯度，経度と設置方位とを取得する（ステップＡ１３）。次に、制御部３１は、ステップＡ１３で検索，取得した緯度，経度を中心とした周辺地域地図を地図情報データベース３３から取得し（ステップＡ１４）、その地図の上記緯度，経度の地点に、ステップＡ１３で取得した設置方位を矢印として追加し（ステップＡ１５）、生成された地図情報を携帯端末２０に返信メールの添付情報として送信する（ステップＡ１６）。
【００４１】
次に、希望する地図情報が現在居る階の見取り図の要求であった場合は（ステップＡ１７）、制御部３１は、建物・階別見取り図データベース３４から位置標識番号に対応して格納されている見取り図を取得する（ステップＡ１８）。そして、制御部３１は、位置標識データベース３２を参照し、位置標識番号を基に設置方位を検索，取得する（ステップＡ１９）。その後、制御部３１は、見取り図の該当する（画像データとして送られてきた位置標識番号の）位置標識１０の箇所に、ステップＡ１９で取得した設置方位を矢印として追加し（ステップＡ１５）、携帯端末２０に返信メールの添付情報として送信する（ステップＡ１６）。
【００４２】
次に、希望する地図情報が現在居る階および指定階の見取り図の要求であった場合は（ステップＡ２０）、制御部３１は、位置標識データベース３２を参照して位置標識番号から建物名を検索，取得し、同じ建物の指定階に対応する位置標識番号を取得するとともに、画像データの位置標識番号から設置方位を取得する（ステップＡ２１）。次に、制御部３１は、建物・階別見取り図データベース３４から指定階の位置標識番号および画像データにより受信した現在居る階の位置標識番号に対応して登録された建物，階の見取り図を取得する。このとき、同じ指定階に異なる位置標識番号が複数あっても、同じ階の見取り図は一つしかないため、これら全体に対して一つの見取り図の取得となる（ステップＡ２２）。その後、制御部３１は、画像データとして送られてきた位置標識番号の位置標識１０の階の見取り図において、画像データとして送られてきた位置標識番号の位置標識１０の箇所に、ステップＡ２１で取得した設置方位を矢印として追加し（ステップＡ１５）、指定された各階の見取り図情報を携帯端末２０に返信メールの添付情報として送信する（ステップＡ１６）。
【００４３】
携帯端末２０は、ステップＡ１６により地図提供サーバ３０から送信された地図情報を受信，表示する（ステップＡ２３）。
【００４４】
なお、以上説明した本発明の一実施の形態においては、位置標識１０が建物内に設置されるものとして説明したが、建物外部の道路上（例えば、電柱）や建物外壁等に設置した場合にも本発明が適用できることは明らかである。この場合の動作は、一実施の形態における地域地図の要求の場合（図４のステップＡ１２〜Ａ１６）に相当し、設置方位を表示した地図情報を提供する点も同じである。
【００４５】
また、位置標識１０は壁等の平面に表示面が水平方向を向くように設置されるとして説明したが、ユーザの携帯端末２０が正対した形で表示面を撮影できれば、他の設置形態（例えば、人間の目より高い壁面や天井から斜め下方向に表示面を向けて設置する等）であってもよい。
【００４６】
また、設置方位はユーザから見た位置標識１０の方向、すなわち位置標識１０の正面（表示面）から背面への方向であるとして説明したが、位置標識１０の背面から正面（表示面）への方向としてもよい。
【００４７】
また、携帯端末２０から地図提供サーバ３０に対して、位置標識番号の画像データと希望する地図情報とを位置表示要求情報として送信するものとして説明したが、希望する地図情報の入力，送信を削除し、単に位置標識番号の画像データを送信するようにしてもよい。この場合は、地域地図か、現在居る階の見取り図かのいずれかに決めておき、地図提供サーバ３０に予め登録しておくものとする。
【００４８】
また、希望する地図情報は、地域地図か、現在居る階の見取り図か、現在居る階および指定階の見取り図かの三種類から選択することで説明したが、これら三種類の任意の二種類から選択させるようにしてもよい。
【００４９】
【発明の効果】
本発明は、建物内の各階に設置され携帯端末により撮影された位置標識番号を基に各階の見取り図を携帯端末に送信するようにしたため、緯度，経度は同じでも高さ（階）が違うと地図（フロアの見取り図）が異なるような場合にも、自分の希望する階の地図の取得が可能になるという効果がある。
【００５０】
また、本発明においては、位置標識番号を携帯端末に備えたカメラにより撮影し、撮影結果の画像データが正しいかをユーザがチェックできるようにしたため、ユーザが番号入力するのに比べて入力ミスによる誤った地図の表示が防止できるという効果がある。
【００５１】
また、本発明においては、ユーザから見た位置標識の方向の矢印を地図上の現在地点（位置標識の設置場所）に追加するようにしたため、地図上での自分の向いている方向が分かり、地図の把握が容易になるという効果がある。
【００５２】
【図面の簡単な説明】
【図１】本発明の一実施の形態の構成を示す図である。
【図２】位置標識データベース３２に登録されているデータの一例を示す図である。
【図３】携帯端末２０における位置表示要求画面の一例を示す図である。
【図４】本発明の一実施の形態の動作を示すフローチャートである。
【符号の説明】
１０    位置標識
２０    携帯端末
２１    制御部
２２    カメラ
２３    画像処理部
２４    入力部
２５    表示部
２６    記憶部
３０    地図提供サーバ
３１    制御部
３２    位置標識データベース
３３    地図情報データベース
３４    建物・階別見取り図データベース
１００    ネットワーク
【図１】
2004347945.tif 000003
【図２】
2004347945.tif 000004
【図３】
2004347945.tif 000005
【図４】
2004347945.tif 000006